(57)【特許請求の範囲】
【請求項１】
カバーフィルムと、このカバーフィルムに貼着された金属製のスナッププレートでなる円形ドーム状の反転板とを有するスイッチ要素を用いるスイッチであって、
中心電極と周辺電極とを有する配線板の表面に上記スイッチ要素のカバーフィルムが貼着されることによって上記スイッチ要素の反転板が上記配線板に位置決めして搭載され、上記反転板の外周部が上記周辺電極に常時接触する常閉接点とされ、かつ、上記反転板の常閉接点が形成された外周部を除く部分にその反転板の反転動作によって上記中心電極に切離される常開接点が形成されているスイッチにおいて、
反転板の膨らみ面がカバーフィルムに貼着されていると共に、カバーフィルムにおける反転板の外周輪郭線の外側位置で、かつ、反転板の周囲に形成されるカバーフィルムと配線板との環状の貼着境界線の内側位置で、かつ、反転板と同心の同一円周上に、反転板が押し込まれてカバーフィルムと共に凹入状に反転動作するときに開いて空気流通口を形成し、反転板が無負荷状態のときに閉じるようになっている円弧形状の複数の切り目が、等角度おきに、かつ、等長に形成されていることを特徴とするスイッチ。
【請求項２】
カバーフィルムと、このカバーフィルムに貼着された金属製のスナッププレートでなる円形ドーム状の反転板とを有するスイッチ要素を用いるスイッチであって、
中間シートの表面に上記スイッチ要素のカバーフィルムが貼着されることによって上記中間シートに備わっている開口部分に上記スイッチ要素の反転板が収容されており、中心電極と周辺電極とを有する配線板に上記カバーフィルムが貼着された上記中間シートが積層されることによって、上記反転板の外周部に形成された常閉接点が上記周辺電極に接触し、かつ、上記反転板の常閉接点が形成された外周部を除く部分に形成された常開接点が、反転板の反転動作によってその常開接点の接触される上記中心電極に対向されているスイッチにおいて、
反転板の膨らみ面がカバーフィルムに貼着されていると共に、カバーフィルムにおける反転板の外周輪郭線の外側位置で、かつ、反転板の周囲に形成されるカバーフィルムと中間シートとの環状の貼着境界線の内側位置で、かつ、反転板と同心の同一円周上に、反転板が押し込まれてカバーフィルムと共に凹入状に反転動作するときに開いて空気流通口を形成し、反転板が無負荷状態のときに閉じるようになっている円弧形状の複数の切り目が、等角度おきに、かつ、等長に形成されていることを特徴とするスイッチ。
【発明の詳細な説明】
【０００１】
【発明の属する技術分野】
本発明は、スイッチ、特に導体でなる円形ドーム状の反転板を備えたスイッチ要素を用いるスイッチに関する。
【０００２】
【従来の技術】
この種のスイッチ要素又はスイッチが実公平７−５５７７９号公報や実公平５−２６６６３号公報によって提案されている。
【０００３】
実公平７−５５７７９号公報に記載されているものでは、図７のように、絶縁カバー部材と称されたカバーフィルム１の裏側に、タクト金属板と称された円形ドーム状の反転板２が貼着されている。また、カバーフィルム１に対称形状の常時開口した細長い２条のスリット３，３が形成されている。このスイッチ要素において、カバーフィルム１に形成されている各スリット３は、カバーフィルム１の反転板２との重なり箇所から反転板２の外側輪郭線２ａの外側まで延び出ている。
【０００４】
そして、実公平７−５５７７９号公報によると、このスイッチ要素は、反転板２が押し込まれてカバーフィルム１と共に凹入状に反転動作するときにスリット３が空気流通口として役立つのでスイッチの操作性が向上する旨、記載されている。また、スリット３を持たないカバーフィルム１の裏側に反転板２を貼着した場合に比べると、両方のスリット３，３に挟まれた部分でカバーフィルム１の自由度が高くなるので、反転板２の反転動作にカバーフィルム１が追従しやすくなる旨、記載されている（第１従来例）。
【０００５】
他方、実公平５−２６６６３号公報に記載されているものでは、図８のように、絶縁シートと称された中間シート８に形成された略円形の開口部分４に可動接点と称された反転板５が収容され、この反転板５を覆う保護シートと称されたカバーフィルム６が、上記中間シート８に重ねて貼着されている。また、カバーフィルム６の中間シート８との重なり箇所にスリットと称された直線状の切り目７が形成されている。
【０００６】
そして、実公平５−２６６６３号公報によると、反転板５を押圧して反転動作させたときにカバーフィルム６が反転板５に追従して凹入状に変形することによって生じる張力は、切り目７が一転鎖線で示したように変形することによって弱められるのでほとんど押圧抵抗にならない。そのため、反転板５の反転動作に伴う明瞭なクリック感が得られる旨、記載されている。また、切り目７は空気流通口としても働く旨、記載されている。さらに、切り目７が、カバーフィルム６の中間シートとの重なり部分に形成されているので、反転板５の配備箇所に塵埃が侵入しにくい旨の記載もある（第２従来例）。
【０００７】
【発明が解決しようとする課題】
しかしながら、第１従来例は、カバーフィルム１に形成されているスリット３が常時開口しており、しかも、そのように常時開口しているスリット３が、カバーフィルム１の反転板２との重なり箇所から反転板２の外側輪郭線２ａの外側まで延び出ているので、スリット３から反転板２の配備箇所に塵埃が侵入しやすく、侵入した塵埃によって反転板２の動作信頼性や接触安定性が損なわれるおそれが大きい。
【０００８】
また、カバーフィルム１に形成されている２条のスリット３，３は、図７に示したように反転板２の中心を挟んで対称となる箇所、すなわち基準位置に位置していることが要求されるけれども、反転板２の反転動作が繰り返されると、２条のスリット３，３の一方又は両方が裂けてカバーフィルム１が基準位置からいずれかのスリット３側に位置ずれするおそれがあり、そのような位置ずれが生じると、反転板２を押し込んだときにカバーフィルム１の偏った張力によって押込み力の向きが微妙に変化して操作性が低下するという事態が起こり得る。
【０００９】
さらに、スリット３の形成箇所を除く部分でカバーフィルム１に反転板２の膨らみ面の全体が貼着している場合には、反転板２の外周部の変位がカバーフィルム１との貼着によって拘束されるので、反転板２を反転動作させたときに良好なクリック感が得られにくい。
【００１０】
他方、第２従来例は、カバーフィルム６に形成されている切り目７が中間シート８との重なり部分に位置しているので、反転板５を凹入状に反転動作させても、カバーフィルム６が中間シート８の開口部分４の口縁に接触してその開口部分４の内側空間に切り目７が連通しないという状況が起こり得る。この状況が起こると、たとえ切り目７が開いてもその切り目７が空気流通口として働かないので、反転板５の反転動作に伴う良好なクリック感が得られなくなり、操作性が低下する。
【００１１】
本発明は、以上の事情に鑑みてなされたものであり、反転板が反転動作するときの良好なクリック感を得るために必要になる反転動作時の反転板の周囲での空気の流通を良好に確保することができるものでありながら、反転板の配備箇所への塵埃の侵入を防止して、反転板の良好な動作信頼性や接触安定性を確保することのできるスイッチを提供することを目的とする。
【００１２】
また、本発明は、反転板が貼着されているカバーフィルムの位置ずれが生じにくくなって良好な操作性を長期に亘って維持することのできるスイッチを提供することを目的とする。
【００１３】
さらに、本発明は、反転板が反転動作するときの反転板の外周部の変位が拘束されにくくなるスイッチを提供することを目的とする。
【００１４】
【課題を解決するための手段】
図面を参照して請求項１、請求項２に係る発明を説明する。なお、この欄で図中の符号を使用したのは、発明の内容の理解を助けるためであって、内容を図例に限定する意図ではない。
【００１５】
請求項１に係る発明は、カバーフィルム２０と、このカバーフィルム２０に貼着された金属製のスナッププレートでなる円形ドーム状の反転板３０とを有するスイッチ要素Ｓ１を用いるスイッチＳであって、中心電極４１と周辺電極４２とを有する配線板４０の表面に上記スイッチ要素Ｓ１のカバーフィルム２０が貼着されることによって上記スイッチ要素Ｓ１の反転板３０が上記配線板４０に位置決めして搭載され、上記反転板３０の外周部が上記周辺電極４２に常時接触する常閉接点とされ、かつ、上記反転板３０の常閉接点が形成された外周部を除く部分にその反転板３０の反転動作によって上記中心電極４１に切離される常開接点が形成されているスイッチＳにおいて、反転板３０の膨らみ面がカバーフィルム２０に貼着されていると共に、カバーフィルム２０における反転板３０の外周輪郭線３０ａの外側位置で、かつ、反転板３０の周囲に形成されるカバーフィルム２０と配線板４０との環状の貼着境界線２１の内側位置で、かつ、反転板３０と同心の同一円周上に、反転板３０が押し込まれてカバーフィルム２０と共に凹入状に反転動作するときに開いて空気流通口を形成し、反転板３０が無負荷状態のときに閉じるようになっている円弧形状の複数の切り目５０が、等角度おきに、かつ、等長に形成されていることを特徴とする。
【００１６】
請求項２に係る発明は、カバーフィルム２０と、このカバーフィルム２０に貼着された金属製のスナッププレートでなる円形ドーム状の反転板３０とを有するスイッチ要素Ｓ１を用いるスイッチＳであって、中間シート６０の表面に上記スイッチ要素Ｓ１のカバーフィルム２０が貼着されることによって上記中間シート６０に備わっている開口部分６１に上記スイッチ要素Ｓ１の反転板３０が収容されており、中心電極４１と周辺電極４２とを有する配線板４０に上記カバーフィルム２０が貼着された上記中間シート６０が積層されることによって、上記反転板３０の外周部に形成された常閉接点が上記周辺電極４２に接触し、かつ、上記反転板３０の常閉接点が形成された外周部を除く部分に形成された常開接点が、反転板３０の反転動作によってその常開接点の接触される上記中心電極４１に対向されているスイッチＳにおいて、反転板３０の膨らみ面がカバーフィルム２０に貼着されていると共に、カバーフィルム２０における反転板３０の外周輪郭線３０ａの外側位置で、かつ、反転板３０の周囲に形成されるカバーフィルム２０と中間シート６０との環状の貼着境界線２２の内側位置で、かつ、反転板３０と同心の同一円周上に、反転板３０が押し込まれてカバーフィルム２０と共に凹入状に反転動作するときに開いて空気流通口を形成し、反転板３０が無負荷状態のときに閉じるようになっている円弧形状の複数の切り目５０が、等角度おきに、かつ、等長に形成されていることを特徴とする。
【００１７】
請求項１，請求項２に係る発明において、金属製のスナッププレートでなる円形ドーム状の上記反転板は、無負荷状態のときにそれ自体の弾性によって円形ドーム状に保形されており、その反転板を押し込んで撓み変形させた後で押込み力を解放すると、それ自体の弾性によって元の円形ドーム状に復帰する性質を有しており、反転板を押し込んで撓み変形させるときクリック感が得られる。
【００１８】
請求項１，請求項２に係る発明において、カバーフィルムに形成されている切り目は常時開口しているとは限らない点で、図７で説明した常時開口しているスリット３とは区別される。上記切り目５０が、反転板が押し込まれてカバーフィルムと共に凹入状に反転動作するときに開いて空気流通口を形成し、反転板が無負荷状態のときに閉じるようになっているため、反転板がカバーフィルムの変位を伴って反転動作することにより切り目が開いたときには開いた切り目を空気が流通するので、反転板の良好な反転動作を妨げるような状況が起こらない。したがって、反転板の反転動作が良好に行われて明瞭なクリック感が得られるようになる。また、切り目が閉じているときには、その切り目から反転板の設置箇所に塵埃が侵入するという事態が起こらない。
【００１９】
また、請求項１に係る発明では、カバーフィルムにおける反転板の外周輪郭線の外側位置で、かつ、反転板の周囲に形成されるカバーフィルムと配線板との環状の貼着境界線の内側位置で、かつ、反転板と同心の同一円周上に、円弧形状の複数の上記切り目が、等角度おきに、かつ、等長に形成されており、請求項２に係る発明では、反転板の膨らみ面がカバーフィルムに貼着されていると共に、カバーフィルムにおける反転板の外周輪郭線の外側位置で、かつ、反転板の周囲に形成されるカバーフィルムと中間シートとの環状の貼着境界線の内側位置で、かつ、反転板と同心の同一円周上に、反転板が押し込まれてカバーフィルムと共に凹入状に反転動作するときに開いて空気流通口を形成し、反転板が無負荷状態のときに閉じるようになっている円弧形状の複数の切り目が、等角度おきに、かつ、等長に形成されているので、反転板を反転動作させるときにカバーフィルムに偏った張力が加わりにくい。そのため、カバーフィルムの位置ずれが生じにくくなって良好な操作性が長期に亘って維持される。さらに、反転板の外周部はカバーフィルムに貼着していないので、反転板が反転動作するときに反転板の外周部の変位が拘束されることはない。
【００２６】
【発明の実施の形態】
図１は、携帯電話機などに採用される多数のスイッチ要素Ｓ１を備えたスイッチシート１０の平面図である。このスイッチシート１０は、一枚のカバーフィルム２０の裏側に、粘着層を介し、多数の円形ドーム状の反転板３０の膨らみ面が貼着されており、それぞれの反転板３０は所定の状態に配列されている。なお、反転板３０は金属板などの導体でなる。図２には、図１のスイッチシート１０の中の１つの反転板３０を含むスイッチ要素Ｓ１を拡大して示してある。
【００２７】
また、図３には、上記カバーフィルム２０を配線板４０の表面に貼着して反転板３０を配線板４０に搭載することによって形成した請求項１に係るスイッチＳを図２のＩＩＩ−ＩＩＩ線に沿う部分で切断した断面図として示してある。さらに、図４にはスイッチＳの配線板４０に搭載されている反転板３０を反転させた場合を示している。
【００２８】
図２に明瞭に示したように、カバーフィルム２０における反転板３０の外周輪郭線３０ａの外側位置に、反転板３０と同心でかつ開いて空気流通口を形成する円弧形状の切り目５０が形成されている。図例のスイッチＳでは、中心が一致する円弧形状の４つの切り目５０が９０度おきに形成されており、それぞれの切り目５０は等長になっている。
【００２９】
図３又は図４のように、配線板４０はその表面に中心電極４１と周辺電極４２とを有しており、その表面にカバーフィルム２０が貼着されることによって反転板３０が配線板４０に位置決めして搭載されている。そして、反転板３０の外周部３１が周辺電極４２に常時接触する常閉接点とされ、かつ、反転板３０の常閉接点が形成された外周部３１を除く部分にその反転板３０の反転動作によって中心電極４１に切離される常開接点が形成されている。また、上記切り目５０は、反転板３０の外周輪郭線３０ａの外側であって反転板３０の周囲に形成されるカバーフィルム２０と配線板４０との環状の貼着境界線２１の内側に位置している。
【００３０】
この場合の貼着境界線２１とは、反転板３０が円形ドーム状に形成されているために形作られる境界線のことである。すなわち、円形ドーム状の反転板３０の膨らみ面を貼着したカバーフィルム２０を配線板４０の表面に図３のように適正に貼着すると、反転板３０の外周輪郭線３０ａの内側と外側とには、カバーフィルム２０が反転板３０にも配線板４０にも貼着されない箇所が必然的に生じる。この場合において、カバーフィルム２が配線板４０の表面に貼着されている領域と、カバーフィルム２が配線板４０の表面に貼着されていない領域との境界線が上記貼着境界線２１であり、この貼着境界線２１は、反転板３０と同心の環状に形成される。図１にはこの貼着境界線２１を破線で参考的に示してある。
【００３１】
図３に示したスイッチＳでは、反転板３０が無負荷状態になっている。そのため、カバーフィルム２０には、反転板３０の反転動作時にカバーフィルム２０に加わるように張力は加わっていない。このときには、カバーフィルム２０の切り目５０は図示のように閉じている。したがって、反転板３０が反転動作されないときに、切り目５０から反転板３０の設置箇所に塵埃が侵入することはない。
【００３２】
図４に示したスイッチＳでは、反転板３０が押し込まれてカバーフィルム２０と共に凹入状に反転動作している。このときには、カバーフィルム２０に加わった張力によってカバーフィルム２０の切り目５０が図示のように開いて空気流通口を形成している。切り目５０は、反転板３０の反転動作が開始されてカバーフィルム２０に張力が加わり始めた時点で開くので、反転板３０は良好に反転動作し、しかも、反転板３０が反転動作するときには良好なクリック感が得られる。
【００３３】
この実施形態において、カバーフィルム２０には、円形ドーム状の反転板３０と同心で、かつ、中心が一致する円弧形状の４つの切り目５０が９０度おきに形成されており、それぞれの切り目５０が等長になっているので、反転板３０を反転動作させるときにカバーフィルム２０に偏った張力が加わりにくい。そのため、カバーフィルムの位置ずれが生じにくくなって良好な操作性が長期に亘って維持される。さらに、図３又は図４のように、反転板３０の外周部３１はカバーフィルム２０に貼着していないので、反転板３０が反転動作するときに反転板３０の外周部３１の変位が拘束されることはない。
【００３４】
図５には、上記カバーフィルム２０を中間シート６０の表面に貼着し、中間シート６０を配線板４０に積層することによって請求項２に係るスイッチＳを図２のＶ−Ｖ線に沿う部分で切断した断面図として示してある。さらに、図５にはスイッチＳの配線板４０に搭載されている反転板３０を反転させた場合を示している。
【００３５】
図５のように、中間シート６０には、円形の開口部分６１が備わっており、この開口部分６１に反転板３０が収容されている。また、中間シート６０が積層された配線板４０の周辺電極４２に、反転板３０の外周部３１に形成された常閉接点が接触し、かつ、配線板４０の中心電極４１に、反転板３０の常閉接点が形成された外周部３１を除く部分に形成された常開接点が対向している。そして、カバーフィルム２０に形成されている切り目５０が、反転板３０の外周輪郭線３０ａの外側であって反転板３０の周囲に形成されるカバーフィルム２０と中間シート６０との環状の貼着境界線２２の内側に位置している。
【００３６】
この場合の貼着境界線２２とは、中間シート６０の開口部分６１に反転板３０が収容され、かつ、その反転板３０が円形ドーム状に形成されているために形作られる境界線のことである。すなわち、円形ドーム状の反転板３０の膨らみ面を貼着したカバーフィルム２０を中間シート６０の表面に図５のように適正に貼着すると、反転板３０の外周輪郭線３０ａの内側と外側とには、カバーフィルム２０が反転板３０にも中間シート６０にも配線板４０にも貼着されない箇所が必然的に生じる。この場合において、カバーフィルム２が中間シート６０の表面に貼着されている領域と、カバーフィルム２が中間シート６０の表面に貼着されていない領域との境界線が上記貼着境界線２２であり、この貼着境界線２２は、開口部分６１の口縁に環状に形成される。図１にはこの貼着境界線２２を破線で参考的に示してある。
【００３７】
図５に示したスイッチＳでは、反転板３０が無負荷状態になっている。そのため、カバーフィルム２０には、反転板３０の反転動作時にカバーフィルム２０に加わるように張力は加わっていない。このときには、カバーフィルム２０の切り目５０は図示のように閉じている。したがって、反転板３０が反転動作されないときに、切り目５０から反転板３０の設置箇所に塵埃が侵入することはない。
【００３８】
図６に示したスイッチＳでは、反転板３０が押し込まれてカバーフィルム２０と共に凹入状に反転動作している。このときには、カバーフィルム２０に加わった張力によってカバーフィルム２０の切り目５０が図示のように開いて空気流通口を形成している。切り目５０は、反転板３０の反転動作が開始されてカバーフィルム２０に張力が加わり始めた時点で開くので、反転板３０は良好に反転動作し、しかも、反転板３０が反転動作するときには良好なクリック感が得られる。
【００３９】
この実施形態において、カバーフィルム２０には、円形ドーム状の反転板３０と同心で、かつ、中心が一致する円弧形状の４つの切り目５０が９０度おきに形成されており、それぞれの切り目５０が等長になっているので、反転板３０を反転動作させるときにカバーフィルム２０に偏った張力が加わりにくい。そのため、カバーフィルム２０の位置ずれが生じにくくなって良好な操作性が長期に亘って維持される。さらに、図５又は図６のように、反転板３０の外周部３１はカバーフィルム２０に貼着していないので、反転板３０が反転動作するときに反転板３０の外周部３１の変位が拘束されることはない。
【００４０】
なお、図５及び図６においては、図３及び図４で説明した部分と同一又は相応する部分に同一符号を付してある。
【００４１】
【発明の効果】
請求項１、請求項２に係る発明のスイッチによれば、反転板の反転動作時に空気の出入りが必要な箇所（反転板の周辺部：反転板の外周輪郭線の外側位置）では、空気の出入りが必要なときに空気の出入りが可能になり、それ以外のときには塵埃が防止されるようになる。また、反転板の反転動作時に、その反転動作を妨げるような状況が発生しない。したがって、請求項１、請求項２に係る発明のスイッチによれば、反転板の良好な反転動作が行われ、その反転動作に伴うクリック感も良好に発揮される。また、反転板の良好な操作性、動作信頼性、接触安定性が長期に亘って確保される。
【図面の簡単な説明】
【図１】  多数のスイッチ要素を備えたスイッチシート１０の平面図である。
【図２】  図１の１つのスイッチ要素Ｓ１を拡大した平面図である。
【図３】  請求項１に係るスイッチの実施形態を図２のＩＩＩ−ＩＩＩ線に沿う部分で切断した断面図である。
【図４】  図３のスイッチの反転板３０を反転させた状態での断面図である。
【図５】  請求項２に係るスイッチの実施形態を図２のＶ−Ｖ線に沿う部分で切断した断面図である。
【図６】  図５のスイッチの反転板３０を反転させた状態での断面図である。
【図７】  従来のスイッチ要素又はスイッチの平面図である。
【図８】  従来の他のスイッチ要素又はスイッチの平面図である。
【符号の説明】
Ｓ  スイッチ
Ｓ１  スイッチ要素
２０  カバーフィルム
２１  カバーフィルムと配線板との環状の貼着境界線
２２  カバーフィルムと中間シートとの環状の貼着境界線
３０  反転板
３０ａ  反転板の外周輪郭線
３１  反転板の外周部
４０  配線板
４１  中心電極
４２  周辺電極
５０  切り目
６０  中間シート
６１  開口部分
【図１】
0003766768.tif 000002
【図２】
0003766768.tif 000003
【図３】
0003766768.tif 000004
【図４】
0003766768.tif 000005
【図５】
0003766768.tif 000006
【図６】
0003766768.tif 000007
【図７】
0003766768.tif 000008
【図８】
0003766768.tif 000009